(57)【要約】【課題】広告主が希望する空き看板を容易に探せ、また看板所有者が、広告主を容易に探せる空き広告看板情報提供システムを提供する。【解決手段】インターネット等の通信ネットワークに接続された空き広告看板情報提供システムにおいて、看板の設置場所を含む情報が登録された看板情報データベースを記憶する空き広告看板供給情報記憶手段と、通信ネットワークを介して看板を所定の条件で検索することができる検索手段と、その検索結果を通信ネットワークを介して閲覧させる検索出力手段と、を含み、看板情報を提供して看板の賃貸借を仲介する空き広告看板情報提供システムである。看板の所有者は、通信ネットワークを介して、空き広告看板情報を登録し、看板の賃借を希望する広告主は、通信ネットワークを介して、看板情報を検索し、所望の看板が見つかれば、通信ネットワークを介して、その賃借を申し込むことができる。【選択図】図１
2006127285.tif 000002
【特許請求の範囲】
【請求項１】
空き広告看板への広告掲載者を求める広告看板供給者側の端末と、空き広告看板への広告の掲載を希望する広告看板需要者側の端末と、インターネット等の通信ネットワークとを利用する空き広告看板情報提供システムであって、
前記通信ネットワークに接続され、前記広告看板供給者側の端末から送信される、空き広告看板の空き広告看板供給情報を蓄積し格納する空き広告看板供給情報記憶手段と、
前記広告看板需要者側の端末から前記通信ネットワークを介して前記空き広告看板供給情報記憶手段にアクセスされることにより、前記空き広告看板供給情報を閲覧させる空き広告看板供給情報閲覧手段と、
前記広告看板需要者側の端末から前記通信ネットワークを介して送信される、希望する空き広告看板の空き広告看板需要情報に対応する空き広告看板供給情報が前記空き広告看板供給情報記憶手段に存在するかどうかを検索する検索手段と、
その検索結果を前記広告看板需要者側の端末で閲覧可能なように出力させる検索出力手段と、
を含むことを特徴とする空き広告看板情報提供システム。
【請求項２】
前記広告看板供給者側の端末からアクセスする前記看板供給者各々を認証するための認証手段と、
前記広告看板供給者が前記広告看板供給者側の端末からアクセスして前記認証手段によって認証されると、前記広告看板供給者が、登録した前記空き広告看板供給情報を閲覧し、更新することが可能な広告看板供給者用データ管理手段と、
を含む請求項１に記載の空き広告看板情報提供システム。
【請求項３】
前記広告看板供給者は、前記広告看板供給者側の端末からアクセスして、前記認証手段によって認証されると、前記広告看板供給者用データ管理手段によって、前記広告看板需要者の登録した前記空き広告看板に対する希望状況を閲覧することが可能な請求項２に記載の空き広告看板情報提供システム。
【請求項４】
前記広告看板需要者が、前記検索手段によって所定の条件で検索された前記看板の中から希望の看板の賃貸を、前記通信ネットワークを介して申し込む申込手段と、
その申込手段によって申込まれた看板の賃貸人である前記広告看板供給者に、前記通信ネットワークを介して申込みを通知する通知手段と、
その通知手段によって申込みを受けた前記看板の賃貸人である前記広告看板供給者が申込みを、前記通信ネットワークを介して応諾するための応諾手段と、
を含む請求項１ないし３のいずれか１項に記載の空き広告看板情報提供システム。
【請求項５】
前記空き広告看板供給情報記憶手段には、前記広告看板供給者によって賃貸が予定される前記看板を含む画像または映像が前記通信ネットワークを介して登録され、前記広告看板需要者は、所定の条件で検索した看板の画像または映像を前記通信ネットワークを介して確認する請求項１ないし４のいずれか１項に記載の空き広告看板情報提供システム。
【請求項６】
前記広告看板需要者の端末上で、前記広告看板需要者が前記通信ネットワークを介して所定の条件で検索した前記看板の画像または映像に、前記広告看板需要者が作成することを予定する広告内容を重ね合わせて表示する仮想イメージを作成する仮想イメージ作成手段を有する請求項５に記載の空き広告看板情報提供システム。
【請求項７】
前記通信ネットワークに接続され、前記広告看板需要者側の端末から前記通信ネットワークを介して送信される、希望する空き広告看板の空き広告看板需要情報を蓄積し格納する空き広告看板需要情報記憶手段と、
前記空き広告看板供給情報と前記空き広告看板需要情報との各情報において一致するものがあるかどうかを検索する対応状況検索手段と、
その検索結果を、少なくとも前記広告看板需要者側の端末に出力する対応状況出力手段と、を含む請求項１ないし６のいずれか１項に記載の空き広告看板情報提供システム。
【請求項８】
前記広告看板需要者が、前記対応状況出力手段によって前記所定の条件の看板が登録された通知を前記通信ネットワークを介して受けた後に、前記広告看板需要者は、前記通信ネットワークを介して前記申込手段によって、希望の看板の賃貸を申し込むことができ、前記通知手段は、その申込手段によって申込まれた看板の賃貸人である前記広告看板供給者に申込みを前記通信ネットワークを介して通知する請求項７に記載の空き広告看板情報提供システム。
【請求項９】
前記空き広告看板供給情報記憶手段に記憶された前記空き広告看板について、複数の前記広告看板需要者によって、前記通信ネットワークを介してオークションを行うオークション実行手段を有し、
前記対応状況検索手段によって前記空き広告看板供給情報と一致すると判断された前記空き広告看板需要情報が、複数の前記広告看板需要者によって登録されていた場合に、前記対応状況出力手段は、それぞれの前記広告看板需要者に、前記所定の条件の看板が登録されたことと登録された空き広告看板についてオークションを行うことの通知を前記通信ネットワークを介して行い、前記オークション実行手段によって、前記空き広告看板の申込み権利者が決定される請求項７に記載の空き広告看板情報提供システム。
【請求項１０】
前記広告看板供給者による前記空き広告看板供給情報の登録は、看板の設置場所、大きさ、広告料、賃貸期間、設置状況のいずれかを含む請求項１ないし９のいずれか１項に記載の空き広告看板情報提供システム。
【請求項１１】
前記広告看板需要者による前記空き広告看板需要情報の希望条件の登録は、看板の設置場所、大きさ、広告料、賃貸期間、設置状況のいずれかを含む請求項１ないし１０のいずれか１項に記載の空き広告看板情報提供システム。
【請求項１２】
前記広告看板需要者の前記検索手段による検索結果をリストと地図で表示する請求項１ないし１１のいずれか１項に記載の空き広告看板情報提供システム。
【請求項１３】
前記広告看板供給者によって前記広告看板需要者からの申込みが前記通信ネットワークを介して応諾されると、自動的に、その仲介手数料を広告看板供給者または広告看板需要者から課金する課金手段を有する請求項１ないし１２のいずれか１項に記載の空き広告看板情報提供システム。
【請求項１４】
前記広告看板供給者によって前記広告看板需要者からの申込みが前記通信ネットワークを介して応諾されると、広告看板需要者から自動的に前記看板の利用料金を課金する課金手段を有する請求項１ないし１３のいずれか１項に記載の空き広告看板情報提供システム。
【発明の詳細な説明】
【技術分野】
【０００１】
本発明は、看板の賃貸借の仲介をする空き広告看板情報提供システムに関する。
【背景技術】
【０００２】
営業広告として、野外に看板が多く設置されている。この看板は、道路沿いや線路沿いに多く見られ、ビルなどの建物の上に設置されることもある。道行く人々がこれらを目にする機会は多く、看板には、店舗名や住所、電話番号等が書かれており広告としての効果が絶大である。また店のイメージアップにもつながる。
【０００３】
そこで、営業効果を図るために看板に広告を出したい者は、空いている看板を探すことから始めなければならない。
【発明の開示】
【発明が解決しようとする課題】
【０００４】
しかしながら空き看板を探すことは容易ではない。街を巡回して、空き看板を見つけることは、難しいし、仮に見つかったとしても、希望の条件（大きさ、利用料金等）を満たすとは限らない。多くの設置場所を確保したい場合は、ことさら難しくなる。
【０００５】
一方、看板の所有者は、折角看板を有していても、広告を出してもらえなければ、その看板を有効利用することができない。空いている看板を見て誰かが利用の申し込みをするのを待っているだけでは、長期間利用者がいない状態が続くことも起こりうる。
【０００６】
そこで本発明の課題は、広告主が希望する空き看板を容易に探せる空き広告看板情報提供システム、また看板所有者が、広告主を容易に探せる空き広告看板情報提供システムを提供することにある。
【課題を解決するための手段および発明の効果】
【０００７】
上記課題を解決するための本発明は、
空き広告看板への広告掲載者を求める広告看板供給者側の端末と、空き広告看板への広告の掲載を希望する広告看板需要者側の端末と、インターネット等の通信ネットワークとを利用する空き広告看板情報提供システムであって、
通信ネットワークに接続され、広告看板供給者側の端末から送信される、空き広告看板の空き広告看板供給情報を蓄積し格納する空き広告看板供給情報記憶手段と、
広告看板需要者側の端末から通信ネットワークを介して空き広告看板供給情報記憶手段にアクセスされることにより、空き広告看板供給情報を閲覧させる空き広告看板供給情報閲覧手段と、
広告看板需要者側の端末から通信ネットワークを介して送信される、希望する空き広告看板の空き広告看板需要情報に対応する空き広告看板供給情報が空き広告看板供給情報記憶手段に存在するかどうかを検索する検索手段と、
その検索結果を広告看板需要者側の端末で閲覧可能なように出力させる検索出力手段と、を含む。
【０００８】
上記構成によれば、看板の賃貸人となる広告看板供給者は、所有する看板の、設置場所、大きさ、広告料、設置状況等の空き広告看板情報を、通信ネットワークを介して、空き広告看板供給情報記憶手段に登録することができる。そして、広告を出すために、空き看板を探す広告看板需要者は、通信ネットワークを介して、空き看板を検索することができ、その検索結果は、検索出力手段によって、広告看板需要者の端末に表示される。このようにして、本システムは看板情報を提供することができ、看板の所有者である広告看板供給者（貸し手）と、看板を探している広告看板需要者（借り手）とを仲介して、看板の賃貸借を斡旋することができる。なお広告看板供給者と広告看板需要者は、看板の売り手と買い手であってもよい。
【０００９】
また空き広告看板情報提供システムは、
広告看板供給者側の端末からアクセスする看板供給者各々を認証するための認証手段と、
広告看板供給者が広告看板供給者側の端末からアクセスして認証手段によって認証されると、広告看板供給者が、登録した空き広告看板供給情報を閲覧し、更新することが可能な広告看板供給者用データ管理手段と、
を含むように構成することもできる。
【００１０】
上記構成によれば、広告看板供給者には、識別番号（ユーザＩＤ）とパスワードが認証手段により交付される。広告看板供給者は、インターネット等の通信網を介して、端末からサーバの所定のサイトにアクセスして、認証を受けることにより、広告看板供給者用データ管理手段により管理されるデータを閲覧して、空き広告看板供給情報を更新することが可能となる。
【００１１】
さらに広告看板供給者は、広告看板供給者側の端末からアクセスして、認証手段によって認証されると、広告看板供給者用データ管理手段によって、広告看板需要者の登録した空き広告看板に対する希望状況を閲覧することが可能である。
【００１２】
つまり広告看板供給者は、広告看板供給者側の端末からアクセスして、広告需要者の空き看板に対する希望状況を確認することができる。すなわち広告需要者による検索回数や申込状況等をユーザ固有のページを表示させて確認することができる。
【００１３】
さらに空き広告看板情報提供システムは、
広告看板需要者が、所定の条件で検索された看板の中から希望の看板の賃貸を、通信ネットワークを介して申し込む申込手段と、
その申込手段によって申込まれた看板の賃貸人である広告看板供給者に、通信ネットワークを介して申込みを通知する通知手段と、
その通知手段によって申込みを受けた看板の賃貸人である広告看板供給者が申込みを、通信ネットワークを介して応諾するための応諾手段と、を含む構成とできる。
【００１４】
以上の構成により、広告看板需要者は、通信ネットワークを介して検索した看板の中に所望の看板があれば、通信ネットワークを介して申込手段によって、その看板の申込みをすることができる。広告看板需要者からの申込みは、本システムのサーバによって受け付けられて、通知手段によって、賃貸人である広告看板供給者へ通信ネットワークを介して通知される。この通知は、例えば、電子メールを介して行われる。或いは、前述の広告看板供給者用データ管理手段によって広告看板供給者の端末上に表示されるユーザ画面において、申込み状況するようにしてもよい。さらに広告看板供給者は、応諾手段によって通信ネットワークを介して、この申込みに対して応諾することができる。
【００１５】
看板情報データベースには、広告看板供給者によって賃貸が予定される看板を含む画像または映像を通信ネットワークを介して登録することができ、広告看板需要者は、所定の条件で検索した看板の画像または映像を通信ネットワークを介して確認できる。さらに広告看板需要者の端末上で、広告看板需要者が通信ネットワークを介して所定の条件で検索した看板の画像または映像に、広告看板需要者が作成することを予定する広告内容を重ね合わせて表示する仮想イメージを作成する仮想イメージ作成手段を空き広告看板情報提供システムは有するようにしてもよい。
【００１６】
以上の構成によれば、デジタルカメラ等で撮影した看板の画像（例えば、ＪＰＥＧ画像）などを看板所有者は、通信ネットワークを介して、空き広告看板供給情報記憶手段に登録することができ、広告主は、その画像を通信ネットワークを介して端末の表示装置（モニタ）上で確認することができる。そして仮想イメージ作成手段によって、その看板画像上に文字やマーク等を貼り付けて、仮想イメージを作成し、どのような看板になるかを確認することができる。
【００１７】
さらに本発明は、通信ネットワークに接続され、広告看板需要者側の端末から通信ネットワークを介して送信される、希望する空き広告看板の空き広告看板需要情報を蓄積し格納する空き広告看板需要情報記憶手段と、
空き広告看板供給情報と空き広告看板需要情報との各情報において一致するものがあるかどうかを検索する対応状況検索手段と、
その検索結果を、少なくとも需要者側の端末に出力する対応状況出力手段と、を含むように構成することもできる。
【００１８】
広告看板需要者は、通信ネットワークを介して広告看板需要者側の端末からアクセスして希望する看板の条件を登録できる。さらに広告看板需要者が希望看板を登録後、広告看板供給者が看板情報を通信ネットワークを介して空き広告看板供給情報記憶手段に登録した後に、対応状況検索手段は、希望条件に合致する看板があるかを検索し、条件に合致する看板が登録されれば、対応状況出力手段は、広告看板需要者へ通信ネットワークを介して通知する。
【００１９】
広告看板需要者が、対応状況出力手段によって所定の条件の看板が登録された通知を通信ネットワークを介して受けた後に、広告看板需要者は、通信ネットワークを介して申込手段によって、希望の看板の賃貸を申し込むことができ、通知手段は、その申込手段によって申込まれた看板の賃貸人である広告看板供給者に申込みを通信ネットワークを介して通知する。通知は、例えば、広告看板供給者が端末からサーバにアクセスしてユーザとしての認証を受け、ユーザ画面を表示した場合に、その画面上に申込みがあった旨表示して、または、サーバが広告看板供給者へ自動的に電子メールを送信することによって行われる。
【００２０】
このシステムによれば、広告看板需要者は、希望する看板が登録されていなければ、希望条件を登録しておくことで、希望する看板登録されれば、通信ネットワークを介して連絡を受けることができる。この連絡は、例えば、電子メールによって行われる。連絡を受けた広告看板需要者は、通信ネットワークを介して、その登録情報を確認して、その看板の賃借を希望すれば、通信ネットワークを介して申し込むことができる。
【００２１】
空き広告看板情報提供システムは、空き広告看板供給情報記憶手段に記憶された空き広告看板について、複数の広告看板需要者によって、通信ネットワークを介してオークションを行うオークション実行手段を有するようにしてもよい。すなわち対応状況検索手段によって空き広告看板供給情報と一致すると判断された空き広告看板需要情報が、複数の広告看板需要者によって登録されていた場合に、対応状況出力手段は、それぞれの広告看板需要者に、所定の条件の看板が登録されたことと広告看板需要者によって登録された空き広告看板についてオークションを行う通知を通信ネットワークを介して行い、オークション実行手段によって、空き広告看板の申込み権利者が決定される。
【００２２】
このシステムによれば、複数の広告看板需要者は、希望する空き広告看板が登録された通知を受け、ネットワークを介して、オークションを行うことができる。オークションによって、決定された広告看板需要者は、申込み権利者として、その空き広告看板を申し込むことができる。
【００２３】
広告看板供給者による空き広告看板供給情報の登録は、看板の設置場所、大きさ、広告料、賃貸期間、設置状況のいずれかを含む。また広告看板需要者による空き広告看板需要情報への希望条件の登録は、看板の設置場所、大きさ、広告料、賃貸期間、設置状況のいずれかを含む。このような情報を登録することにより、より希望に適応する看板が絞り込まれて検索され、広告看板需要者は、希望する看板を探しやすくなる。
【００２４】
本発明の空き広告看板情報提供システムは、広告看板需要者の検索手段による検索結果を検索出力手段によってリストと地図で表示する。検索結果を一覧表で表示するだけではなく、それぞれの看板の位置を地図上に表示することで、看板を探している広告主が、登録されている看板の場所を容易に確認することができる。
【００２５】
本発明の空き広告看板情報提供システムは、広告看板供給者によって広告看板需要者からの申込みが通信ネットワークを介して応諾されると、自動的に、その仲介手数料を広告看板供給者または広告看板需要者から課金する課金手段を有する。このために、本システムの利用に当たって利用登録を行い、ユーザのクレジットカード情報または口座情報を登録しておく。これにより、この課金は、看板の賃貸契約の成立とともに自動的にサーバによって行われる。この手数料の徴収は、賃貸人である広告看板供給者から行ってもよいし、賃借人である広告看板需要者から行ってもよい。
【００２６】
本発明の空き広告看板情報提供システムは、広告看板供給者によって広告看板需要者からの申込みが通信ネットワークを介して応諾されると、広告看板需要者から自動的に看板の利用料金を課金する課金手段を有する。看板の賃貸契約が成立すると、毎月の使用料をサーバが定期的に賃借人である広告看板需要者から、クレジットカード、口座引き落としにより徴収する。そして広告看板供給者の口座へ送金する。これにより、賃貸人である広告看板供給者は、料金徴収の手間を省くことができる。
【発明を実施するための最良の形態】
【００２７】
以下図面を参照しつつ本発明の実施形態について説明する。図１は、本発明の全体構成を概念的に示すものである。空き広告看板情報提供システムは、インターネット３１などの通信網に、送受信手段としての通信装置（モデム、ルーター等）を介して接続されたサーバ１を含んで構成される。そして同じく送受信手段としての通信装置（モデム、ルーター等）を介して複数の端末装置３２,４１が接続されている。
【００２８】
本システムにおいては、看板情報を提供する看板情報提供サイトが、情報を提供する主体（情報提供会社）等の有する、又は業としてサーバを管理する主体（サーバ管理会社）の有するサーバ１に設定されている。そしてこのサーバ１は、特定のサイトとして例えば「○○．ｃｏｍ」等のサイト名（ドメイン：ＵＲＬ）を有し、インターネット３１等の通信網に接続されている。
【００２９】
そしてこの看板情報提供サイトには、インターネット３１等の通信網を介して、コンピュータなどの端末装置３２,４１によって接続することが可能である。端末装置３２,４１は、デスクトップ型のコンピュータ、ノートパソコン、携帯移動端末（ＰＤＡ）、さらには、インターネット等に接続可能な携帯電話機であってもよい。
【００３０】
図２にサーバ１の構成例を示す。サーバ１はコンピュータとして構成され、Ｉ／Ｏインターフェース７に、バスライン６を介してＣＰＵ２、ＲＯＭ３、ＲＡＭ４が接続されている。また記録媒体としてのハードディスクドライブ５、及びその他の記憶装置（ＣＤ−ＲＯＭドライブ、ＤＶＤドライブ等）等が接続されている。さらに表示装置９であるモニタやプリンタ等の出力装置１１、キーボードやマウス等の入力装置８等が接続されている。
【００３１】
記憶装置としてのハードディスクドライブ５には、図に示すように空き広告看板情報提供システムの機能をコンピュータ上にて実現するためのアプリケーションプログラム５ｂ（以下、単にアプリケーションともいう）と、その作動環境をコンピュータ上に形成するオペレーティングシステムプログラム５ａ（ＯＳ）と、情報提供のための看板情報が記憶された看板情報データベース５ｃと、看板の所有者についての情報が記憶された所有者情報データベース５ｄと、広告主の希望条件が記憶された希望情報データベース５ｅとが格納されている。ＲＯＭ３には、コンピュータのハードウェア制御のための基本的な各種プログラムが格納される。さらに、ＲＡＭ４には、記憶装置及びＲＯＭに格納された各プログラムのワークエリアが形成されている。したがってハードディスクドライブ５は、空き広告看板供給情報記憶手段を構成する。
【００３２】
図３に示すように、アプリケーションプログラム５ｂは、複数のプログラムモジュールを備えた形で構成されており、その中で、データベース作成プログラム１５ａは、通信網を介した看板所有者の操作に基づき看板情報データベース５ｃ、所有者情報データベース５ｄを、同じく通信網を介した広告希望者の操作に基づき希望看板情報データベース５ｅ、広告主情報データベース５ｆを作成するものである。
【００３３】
検索プログラム１５ｂは、通信網を介した広告希望者の操作に基づき、看板情報データベース５ｃに記憶された看板情報を検索する機能を有する。すなわち検索プログラム１５ｂは、検索手段、対応状況検索手段である。契約管理プログラム１５ｃは、広告主からの申込みを受け付け、その通知を看板所有者にメールで行い、看板所有者からの応諾により、広告主に契約成立の連絡をメールにて自動的に行うためのプログラムである。すなわち、契約管理プログラム１５ｃは、申込手段、通知手段である。
【００３４】
そして表示プログラム１５ｄは、検索プログラム１５ｂによる検索結果や契約管理プログラム１５ｃによる申込みの画面表示を行う。すなわち、表示プログラム１５ｄは、空き広告看板供給情報閲覧手段、検索出力手段、対応状況出力手段である。さらに表示プログラム１５ｄは、広告看板需要者による看板に描く予定の広告内容を看板画像に重ねて表示する機能を有し、仮想イメージ作成手段でもある。また課金プログラム１５ｅは、看板の賃貸借契約が成立した場合の仲介手数料の徴収や、看板の毎月の賃貸料の徴収を自動的に行うプログラムである。すなわち、課金プログラム１５ｅは、課金手段である。
【００３５】
図２に戻り、このようなサーバはＩ／Ｏインターフェース７に接続された通信装置１０を介してインターネット３１（通信網）に接続され、アクセス者は端末装置からインターネット３１（通信網）を介してこのサーバ１にアクセスできる。
【００３６】
図４に看板所有者の利用する端末装置の例を示す。図に示すように、各端末４１はＩ／Ｏインターフェース４７を備え、これにバスライン４６を介してＣＰＵ４２、ＲＯＭ４３、ＲＡＭ４４が接続されている。またハードディスクドライブ４５等で構成された記憶装置及びその他の記憶装置（ＣＤ−ＲＯＭドライブ、ＤＶＤドライブ等）等、さらに表示装置としてモニタ５０がモニタ制御部４９を介して、出力装置としてプリンタ４８等、入力装置としてキーボード５１やマウス５２（他のポインティングデバイスでもよい）等、通信網３１と接続するための通信装置５３がＩ／Ｏインターフェース４７に接続されている。
【００３７】
ＲＯＭ４３には、コンピュータのハードウェア制御のための基本的な各種プログラムが格納され、ハードディスクドライブ４５には、コンピュータを作動させるためのオペレーションシステム４５ａ、サーバからの情報を表示するためのブラウザ４５ｂ、メールプログラム４６ｃ等が記憶されている。さらに、ＲＡＭ４４には、記憶装置及びＲＯＭに格納された各プログラムのワークエリア４４ａ〜４６ｂ及びデータメモリ４４ｃとが形成されている。
【００３８】
看板所有者の端末４１は、通信ネットワーク３１を介してサーバ１へアクセス可能であれば、以上の実施例に限られない。また広告主端末３２も、看板所有者端末４１と同様に構成される。
【００３９】
図５のフローチャートを用いて看板所有者の処理手順を説明する。看板所有者は、広告主を募る空き看板が生じたとき、又はまもなく賃貸契約が終了し空き看板となる看板が生じたとき、端末装置４１によってインターネット３１を介して看板情報提供サイトにアクセスする（Ｓ１）。ここで看板６１とは、図６に示すように野外などの所定の場所に設置された、広告や店舗情報などを描くものを指し、道路６２沿いに設置されたものや、建物６３に付随して設置されている。また線路沿いなどに設置されたものであってもよい。さらに駅のホームに設置されたものや、地下街、山の斜面、田畑などに設置されたものであってもよい。
【００４０】
看板所有者が端末装置４１によってインターネット３１を介して看板情報提供サイトにアクセスし、看板所有者情報登録が行われていない場合（Ｓ２：ＮＯ）は、登録画面７１へと進む。登録画面７１としては、例えば図７に示すような画面が、看板所有者のコンピュータのモニタ５０上に、HTML(Hyper Text Markup Language)ファイルやデータを閲覧・表示するWWW(World Wide Web)ブラウザによって表示される。そこで氏名７２と、住所７３や電話番号７５、メールアドレス７４などの連絡情報を入力して、マウスなどにより登録ボタンを押下（クリック）することにより所有者情報を登録する。所有者情報には、さらに広告主との契約が成立した場合に、その手数料等を看板所有者から徴収する場合は、クレジットカード情報や引き落としのための口座情報を登録するようにしておいてもよい。
【００４１】
このようにして多数の看板所有者がこの看板情報提供サイトにアクセスして登録することにより、図８に示すように所有者情報データベース５ｄが、サーバ１の記憶装置であるハードディスク５の中に形成される。登録された所有者には、所有者番号（会員番号）８２が割り当てられ、この番号によって所有者をサーバが管理することができる。また所有者から料金徴収の必要があれば、クレジットカードや口座番号などが課金方法８３として登録される。
【００４２】
図５に戻って、Ｓ２で看板所有者情報をすでに登録している場合（Ｓ２：ＹＥＳ）、またはＳ３で登録を行った場合には、Ｓ４に進み、空き広告看板情報の登録を行う。ここでは、空き看板の設置されている場所（住所）９２、看板の大きさ９３、賃料（一ヶ月あたりの料金）９４、契約期間（最低契約期間や最長契約期間、契約期限など）９５の登録を行う。これらの登録を看板所有者が行うと図９に示すような看板情報データベース５ｃがサーバ１の記憶装置５内に形成される。図に示すように各々の看板には、看板番号９１が割り当てられ、その所有者番号（会員番号）８２が付属して記憶されている。したがって看板情報データベース５ｃは、空き広告看板供給情報を記憶する。
【００４３】
さらに、例えば図１５（ａ）に示すようなデジタルカメラなどで撮影した看板を含む画像または映像などを、端末からインターネットを介して、看板情報データベースに登録できるようにしておいてもよい。このような画像を登録できれば、看板の広告主が看板の賃借を決めるための情報として役立つ。看板所有者は、このような登録を行って、広告主からの看板利用申込みを待つ。
【００４４】
一方の広告主の処理手順を図１０のフローチャートに従って示す。空き看板を探してその利用を希望する広告主は、看板情報提供サイトに端末３２からインターネット３１を介して接続する（Ｓ１１）。そこで広告主の氏名や連絡先に関する広告主情報が登録済みでない場合（Ｓ１２：ＮＯ）には、広告主情報登録画面へ進み、広告主情報の登録を行う（Ｓ１３）。これにより図１１に示すように、広告主の氏名、住所、メールアドレス、電話番号がサーバ１の記憶装置５に広告主データベース５ｆとして記憶される。
【００４５】
広告主情報の登録済みである場合（Ｓ１２：ＹＥＳ）には、広告主は、端末３２より所定の操作を行って、Ｓ１４の空き広告看板情報の検索へ進む。そして空き広告看板供給情報閲覧手段によって表示される空き広告看板情報検索画面に進むと、例えば図１２に示すような看板検索画面が、サーバに記憶された検索プログラム１５ｂ、表示プログラム１５ｄによって広告主の端末装置３２のモニタに表示される。そこで広告主は、希望の条件を入力し、その画面内の検索ボタン１１２を、例えばマウスでクリックすることにより、その条件に合致する看板があるかを検索プログラム１５ｂが検索する。
【００４６】
図１３に検索結果の例を示す。広告主の条件に合致した看板情報が登録されている場合には、その看板の設置場所、大きさ、料金、期間などの条件がリスト１２０として、検索出力手段である表示プログラム１５ｄによって広告主の端末３２に表示される。そして場所を確認するために、リスト中の希望する看板の所定の場所をクリックすると、図１４に示すような地図１３１上に看板の位置が所定のマーク１３２にて示される。このようにして広告主は、看板の設置場所を確認することができる。そして、その看板の賃貸契約を申し込む場合には、申込みボタン１３３をクリックすることにより、申込み画面へ進み、広告主番号等を入力することにより、申込みが完了する。さらに図１３に示した検索結果画面に、現在広告主により申し込みがされている看板には、「商談中」と表示するようにしてもよい。このように申込状況が広告主に知らされることにより、広告主は、希望に合致する看板を見つけると、早急に申込を行う必要性を感じて、営業効果を期待できる。
【００４７】
図５のＳ４で、看板所有者が看板を含む画像または映像を登録した場合には、図１５（ａ）に示すような、看板やその周囲の様子を広告主が端末上で確認することができる。そして（ｂ）に示すように、端末上から看板に描く予定の広告内容をインターネットを介してサーバへ送ることにより、端末のモニタ上で看板の画像に広告主が描く予定の広告内容が重ねて表示され、仮想イメージを確認することができる。具体的には、看板所有者が端末からサーバにアクセスして、描く予定の文字、書体、色などを指定すると、サーバのアプリケーションプログラム５ｂにより、仮想イメージが作成され、看板所有者の端末にその広告が看板の画像上に重ねて表示させる。
【００４８】
図１０のＳ１６で広告主が看板の利用の申込みを行った場合のサーバ側の処理について図１６を用いて説明する。サーバ１は、Ｓ２１で広告主からの申込みを受け付けると、その申込み内容から、所有者へメールを自動的に送信する（Ｓ２２）。このメール１４１には、図１７に示すように、所有者の登録した看板の賃借の申込みがあったことが記されており、所定のサイト１４２へ進んで、申し込みを確認の上、応諾することができる。Ｓ２３で所有者が申込みを応諾すると、Ｓ２４へ進み、サーバ１は、広告主へ、応諾がなされたことをメールにて連絡する。そしてサーバ１は、広告主または看板所有者から仲介の手数料を徴収する（Ｓ２５）。またサーバ１は、毎月の看板の利用料金を、広告主のクレジットカードまたは口座から自動的に徴収を行う。一方、所有者から応諾がなされなければ（Ｓ２３：ＮＯ）、契約は成立しない。
【００４９】
もし図１０のＳ１５で広告主の希望の看板情報が検索されなかった場合（Ｓ１７：ＮＯ）には、広告主は、Ｓ１７へ進み、希望条件を登録することを望めば、Ｓ１８で、希望の看板の条件を登録することができる。
【００５０】
図１８に広告主による登録によってサーバの記憶装置に形成される希望看板情報データベース５ｅの例を示す。それぞれの希望に希望番号１４５が割り当てられ、希望の場所、大きさ、料金などの条件が、広告主番号１０５とともに記憶されている。したがって、希望看板情報データベース５ｅは、空き看板需要情報を記憶する。
【００５１】
図１０のＳ１８で広告主による希望看板の登録がなされた場合のサーバ側の処理について図１９を用いて説明する。Ｓ３１で看板主による新規の看板の登録がなされると、Ｓ３２で、サーバは、検索手段によって広告主により登録された希望看板情報データベース５ｅの中から合致する希望条件を検索する。広告主の希望条件に合致するものが見つかれば、Ｓ３３へ進み、サーバは、図２０に示すように、その広告主に希望に合致する看板が登録されたことをメール１５１にて知らせる。
【００５２】
メール１５１を受信した広告主が、メール内に記載された所定のサイト１５２へ進んで登録された看板の情報を確認し、その広告主から申込みがなされれば（Ｓ３４：ＹＥＳ）、看板の申込みがあったことをサーバ１は、看板主へメールにて通知する（Ｓ３５：図１７参照）。メールを受信した看板主が、所定のサイトへ進み、看板主によって応諾がなされれば（Ｓ３６）、サーバ１は、広告主へメールにて通知する（Ｓ３７）。そして広告主または看板所有者から仲介の手数料を徴収する（Ｓ３８）。またサーバ１は、毎月の看板の利用料金を、広告主のクレジットカードまたは口座から自動的に徴収を行う。
【００５３】
なお図１９のＳ３２において、登録された看板情報に合致する希望の登録が複数あるとサーバ１によって判断された場合に、オークションを行って申込み権利者を決定するようにしてもよい。具体的には、サーバ１のアプリケーションプログラムは、オークション実行プログラムを含んで構成される。具体的処理について図２１を用いて説明する。Ｓ４１で看板主による新規の看板の登録がなされると、Ｓ４２で、サーバは、検索手段によって広告主により登録された希望看板情報データベース５ｅの中から合致する希望条件を検索する。広告主の希望条件に合致するものが見つかれば、Ｓ４３へ進む。登録された看板に合致する希望を登録していた広告主が一人である場合には、Ｓ４６へ進み、サーバ１によって希望していた看板が登録されたことがメールにて広告主へ通知される。
【００５４】
登録された看板に合致する希望を登録していた広告主が複数の場合には、Ｓ４４へ進む。Ｓ４４において、サーバ１は、それぞれの広告主にメールにて、希望に合致する看板が登録されたことと、複数の希望者がいるために、その希望者によってオークションを行うことを通知する。Ｓ４５において、通知を受けた希望者（広告主）は、端末から通信ネットワークを介して所定のサイトへ接続し、オークションの入札を行う。図２２にオークションサイトの例を示す。広告希望者は、看板情報と入札情報を確認して、入札画面へ進み入札を行う。所定の終了時間までに最も高額の利用料金を入札した希望者が、その空き広告看板の申込み権利者として決定される。この処理は、サーバのアプリケーションプログラムを構成するオークション実行プログラムによって行われる。申込み権利者には、オークションによって、空き広告看板の申込み権利を得たことが、メールにて通知される。
【００５５】
メールを受信した広告主（オークションが行われた場合には、申込み権利者）が、メール内に記載された所定のサイトへ進んで登録された看板の情報を確認し、その広告主から申込みがなされれば（Ｓ４７：ＹＥＳ）、看板の申込みがあったことをサーバ１は、看板主へメールにて通知する（Ｓ４８：図１７参照）。メールを受信した看板主が、所定のサイトへ進み、看板主によって応諾がなされれば（Ｓ４９）、サーバ１は、広告主へメールにて通知する（Ｓ５０）。そして広告主または看板所有者から仲介の手数料を徴収する（Ｓ５１）。またサーバ１は、毎月の看板の利用料金を、広告主のクレジットカードまたは口座から自動的に徴収を行う。
【００５６】
以上の実施例においては、看板所有者にメールによる通知を行ったが、看板所有者がインターネットを介してサーバへアクセスし、広告主の希望状況を確認するようにしてもよい。図２３にサーバのアプリケーションプログラムの別の実施例を示す。アプリケーションプログラム５ｂは、前述のデータベース作成プログラム１５ａ、検索プログラム１５ｂ、契約管理プログラム１５ｃ、表示プログラム１５ｄ、課金プログラム１５ｅに加えて、看板所有者の認証を行う認証プログラム１５ｆ、広告看板供給者用データ管理プログラム１５ｇを含んで構成される。
【００５７】
図５のＳ３で看板所有者情報を登録した場合に、サーバは、アプリケーションプログラム５ｂの認証プログラム１５ｆによって、看板所有者に認証番号（ユーザＩＤ）とパスワードを交付する。看板所有者は、端末４１からサーバ１にアクセスして図２４に示すようにユーザ認証画面１６０を端末４１のモニタ５０上へ表示させ、ユーザＩＤ１６１とパスワード１６２を入力して、所有者としての認証を受ける。この認証は、アプリケーションプログラム５ｂの認証プログラム１５ｆによって行われる。
【００５８】
看板所有者は、ユーザＩＤとパスワードにより認証を受けると、図２５に示すような所有者個別の画面に進む。この所有者個別画面１７０は、広告看板供給者用データ管理プログラム１５ｇによって表示される。ここで、登録看板情報やその看板に対する検索状況、申込状況を確認することができる。検索状況とは、例えば、検索回数１７６を指し、広告主の検索条件に合致して広告主に検索結果として示された回数である。すなわち、検索回数が多ければ、多くの広告主の希望に合致していることが分かるし、検索回数が少なければ、利用料金を下げるなどして、検索される回数を増やすようにすることもできる。
【００５９】
登録看板の情報を修正する場合には、画面の修正ボタン１７１をマウスでクリックして修正画面へ進む。また追加ボタン１７２をクリックすることにより、新たな看板を登録することができる。さらに削除ボタン１７３をクリックすることにより、登録した看板の中から所定の看板を削除することができる。
【００６０】
またユーザ固有の画面１７０において、図２５に示すように、登録した看板の申込状況として、申込がされていれば、申し込み欄１７７に、申込み「あり」、されていなければ、「なし」などと表示される。申込「あり」の場合は、その部分をマウスでクリックすることにより、申込み者の情報を確認することができる。そしてその申込者の情報を確認して承諾することもできる。オークションが行われている場合には、オークション情報が表示されるようにしてもよい。
【００６１】
さらに住所、Ｅメール、電話番号、課金方法などの登録情報に変更があれば、ユーザ固有画面１７０において、修正ボタン１７４をクリックすることにより、これらの情報を変更することもできる。
【００６２】
以上のように本発明の空き広告看板情報提供システムは、インターネット等の通信網を介して、看板を所有する賃貸人と、看板を賃借して広告を出したい広告主との間を仲介することができる。これにより、看板所有者は、広告主を従来より早く募ることができ、看板を有効活用することができる。また看板を探している広告主にとっては、所望の看板を早く見つけることができるため、従来のように手間がかかることがない。
【図面の簡単な説明】
【００６３】
【図１】全体構成を説明する概念図。
【図２】サーバの実施例。
【図３】アプリケーションプログラムを説明する図。
【図４】ユーザ端末の実施例。
【図５】看板所有者の処理を説明するフローチャート。
【図６】街に設置されている看板を示す図。
【図７】看板所有者の登録画面の実施例。
【図８】所有者情報データベースの例。
【図９】看板情報データベースの例。
【図１０】広告主の処理を説明するフローチャート。
【図１１】広告主情報データベースの例。
【図１２】看板検索画面の例。
【図１３】検索結果の例。
【図１４】所定の看板の設置場所を示す地図の例。
【図１５】看板所有者によって登録された看板の画像と広告主によって挿入された広告の仮想イメージを説明するための図。
【図１６】サーバの処理を説明するためのフローチャート。
【図１７】看板所有者への申込みの通知メールの例。
【図１８】希望看板情報データベースの例。
【図１９】希望看板に合致する登録がなされた場合のサーバの処理を説明するフローチャート。
【図２０】広告主への希望看板に合致する登録がなされたことを通知するメールの例。
【図２１】オークションが実行される場合の処理を説明するためのフローチャート。
【図２２】オークションサイトの実施例。
【図２３】アプリケーションプログラムの他の実施例。
【図２４】看板所有者の認証画面。
【図２５】看板所有者個別の看板情報管理画面。
【符号の説明】
【００６４】
１    サーバ
３１    通信網
３２    広告主端末
４１    看板所有者端末
６１    看板
７１    看板所有者登録画面
１１１  看板検索画面
【図１】
2006127285.tif 000003
【図２】
2006127285.tif 000004
【図３】
2006127285.tif 000005
【図４】
2006127285.tif 000006
【図５】
2006127285.tif 000007
【図６】
2006127285.tif 000008
【図７】
2006127285.tif 000009
【図８】
2006127285.tif 000010
【図９】
2006127285.tif 000011
【図１０】
2006127285.tif 000012
【図１１】
2006127285.tif 000013
【図１２】
2006127285.tif 000014
【図１３】
2006127285.tif 000015
【図１４】
2006127285.tif 000016
【図１５】
2006127285.tif 000017
【図１６】
2006127285.tif 000018
【図１７】
2006127285.tif 000019
【図１８】
2006127285.tif 000020
【図１９】
2006127285.tif 000021
【図２０】
2006127285.tif 000022
【図２１】
2006127285.tif 000023
【図２２】
2006127285.tif 000024
【図２３】
2006127285.tif 000025
【図２４】
2006127285.tif 000026
【図２５】
2006127285.tif 000027
【手続補正書】
【提出日】平成16年11月5日(2004.11.5)
【手続補正１】
【補正対象書類名】図面
【補正対象項目名】図６
【補正方法】変更
【補正の内容】
【図６】
2006127285.tif 000028
【手続補正書】
【提出日】平成17年2月4日(2005.2.4)
【手続補正１】
【補正対象書類名】特許請求の範囲
【補正対象項目名】全文
【補正方法】変更
【補正の内容】
【特許請求の範囲】
【請求項１】
空き広告看板への広告掲載者を求める広告看板供給者側の端末と、空き広告看板への広告の掲載を希望する広告看板需要者側の端末と、インターネット等の通信ネットワークとを利用する空き広告看板情報提供システムであって、
前記通信ネットワークに接続され、前記広告看板供給者側の端末から送信される、空き広告看板の空き広告看板供給情報を蓄積し格納する空き広告看板供給情報記憶手段と、
前記広告看板供給者側の端末からアクセスする前記看板供給者各々を認証するための認証手段と、
前記広告看板供給者が前記広告看板供給者側の端末からアクセスして前記認証手段によって認証されると、前記広告看板供給者が、登録した前記空き広告看板供給情報を閲覧し、更新することが可能な広告看板供給者用データ管理手段と、
前記広告看板需要者側の端末から前記通信ネットワークを介して前記空き広告看板供給情報記憶手段にアクセスされることにより、前記空き広告看板供給情報を閲覧させる空き広告看板供給情報閲覧手段と、
前記広告看板需要者側の端末から前記通信ネットワークを介して送信される、希望する空き広告看板の空き広告看板需要情報に対応する空き広告看板供給情報が前記空き広告看板供給情報記憶手段に存在するかどうかを検索する検索手段と、
その検索結果を前記広告看板需要者側の端末で閲覧可能なように出力させる検索出力手段と、
を含むことを特徴とする空き広告看板情報提供システム。
【請求項２】
前記広告看板供給者は、前記広告看板供給者側の端末からアクセスして、前記認証手段によって認証されると、前記広告看板供給者用データ管理手段によって、前記広告看板需要者の登録した前記空き広告看板に対する希望状況を閲覧することが可能な請求項１に記載の空き広告看板情報提供システム。
【請求項３】
空き広告看板への広告掲載者を求める広告看板供給者側の端末と、空き広告看板への広告の掲載を希望する広告看板需要者側の端末と、インターネット等の通信ネットワークとを利用する空き広告看板情報提供システムであって、
前記通信ネットワークに接続され、前記広告看板供給者側の端末から送信される、空き広告看板の空き広告看板供給情報を蓄積し格納する空き広告看板供給情報記憶手段と、
前記広告看板需要者側の端末から前記通信ネットワークを介して前記空き広告看板供給情報記憶手段にアクセスされることにより、前記空き広告看板供給情報を閲覧させる空き広告看板供給情報閲覧手段と、
前記広告看板需要者側の端末から前記通信ネットワークを介して送信される、希望する空き広告看板の空き広告看板需要情報に対応する空き広告看板供給情報が前記空き広告看板供給情報記憶手段に存在するかどうかを検索する検索手段と、
その検索結果を前記広告看板需要者側の端末で閲覧可能なように出力させる検索出力手段とを備え、
前記空き広告看板供給情報記憶手段には、前記広告看板供給者によって賃貸が予定される前記看板を含む画像または映像が前記通信ネットワークを介して登録され、
さらに前記広告看板需要者の端末上で、前記広告看板需要者が前記通信ネットワークを介して所定の条件で検索した前記看板の画像または映像に、前記広告看板需要者が作成することを予定する広告内容を重ね合わせて表示する仮想イメージを作成する仮想イメージ作成手段を有することを特徴とする空き広告看板情報提供システム。
【請求項４】
空き広告看板への広告掲載者を求める広告看板供給者側の端末と、空き広告看板への広告の掲載を希望する広告看板需要者側の端末と、インターネット等の通信ネットワークとを利用する空き広告看板情報提供システムであって、
前記通信ネットワークに接続され、前記広告看板供給者側の端末から送信される、空き広告看板の空き広告看板供給情報を蓄積し格納する空き広告看板供給情報記憶手段と、
前記広告看板需要者側の端末から前記通信ネットワークを介して前記空き広告看板供給情報記憶手段にアクセスされることにより、前記空き広告看板供給情報を閲覧させる空き広告看板供給情報閲覧手段と、
前記広告看板需要者側の端末から前記通信ネットワークを介して送信される、希望する空き広告看板の空き広告看板需要情報に対応する空き広告看板供給情報が前記空き広告看板供給情報記憶手段に存在するかどうかを検索する検索手段と、
その検索結果を前記広告看板需要者側の端末で閲覧可能なように出力させる検索出力手段と、
前記通信ネットワークに接続され、前記広告看板需要者側の端末から前記通信ネットワークを介して送信される、希望する空き広告看板の空き広告看板需要情報を蓄積し格納する空き広告看板需要情報記憶手段と、
前記空き広告看板供給情報と前記空き広告看板需要情報との各情報において一致するものがあるかどうかを検索する対応状況検索手段と、
その検索結果を、少なくとも前記広告看板需要者側の端末に出力する対応状況出力手段と、を含むことを特徴とする空き広告看板情報提供システム。
【請求項５】
前記広告看板需要者が、前記対応状況出力手段によって前記所定の条件の看板が登録された通知を前記通信ネットワークを介して受けた後に、前記広告看板需要者は、前記通信ネットワークを介して前記申込手段によって、希望の看板の賃貸を申し込むことができ、前記通知手段は、その申込手段によって申込まれた看板の賃貸人である前記広告看板供給者に申込みを前記通信ネットワークを介して通知する請求項４に記載の空き広告看板情報提供システム。
【請求項６】
前記空き広告看板供給情報記憶手段に記憶された前記空き広告看板について、複数の前記広告看板需要者によって、前記通信ネットワークを介してオークションを行うオークション実行手段を有し、
前記対応状況検索手段によって前記空き広告看板供給情報と一致すると判断された前記空き広告看板需要情報が、複数の前記広告看板需要者によって登録されていた場合に、前記対応状況出力手段は、それぞれの前記広告看板需要者に、前記所定の条件の看板が登録されたことと登録された空き広告看板についてオークションを行うことの通知を前記通信ネットワークを介して行い、前記オークション実行手段によって、前記空き広告看板の申込み権利者が決定される請求項４に記載の空き広告看板情報提供システム。
【請求項７】
前記広告看板需要者による前記空き広告看板需要情報の希望条件の登録は、看板の設置場所、大きさ、広告料、賃貸期間、設置状況のいずれかを含む請求項４ないし６のいずれか１項に記載の空き広告看板情報提供システム。
【請求項８】
前記広告看板需要者が、前記検索手段によって所定の条件で検索された前記看板の中から希望の看板の賃貸を、前記通信ネットワークを介して申し込む申込手段と、
その申込手段によって申込まれた看板の賃貸人である前記広告看板供給者に、前記通信ネットワークを介して申込みを通知する通知手段と、
その通知手段によって申込みを受けた前記看板の賃貸人である前記広告看板供給者が申込みを、前記通信ネットワークを介して応諾するための応諾手段と、
を含む請求項１ないし７のいずれか１項に記載の空き広告看板情報提供システム。
【請求項９】
前記広告看板供給者による前記空き広告看板供給情報の登録は、看板の設置場所、大きさ、広告料、賃貸期間、設置状況のいずれかを含む請求項１ないし８のいずれか１項に記載の空き広告看板情報提供システム。
【請求項１０】
前記広告看板需要者の前記検索手段による検索結果をリストと地図で表示する請求項１ないし９のいずれか１項に記載の空き広告看板情報提供システム。
【請求項１１】
前記広告看板供給者によって前記広告看板需要者からの申込みが前記通信ネットワークを介して応諾されると、自動的に、その仲介手数料を広告看板供給者または広告看板需要者から課金する課金手段を有する請求項１ないし１０のいずれか１項に記載の空き広告看板情報提供システム。
【請求項１２】
前記広告看板供給者によって前記広告看板需要者からの申込みが前記通信ネットワークを介して応諾されると、広告看板需要者から自動的に前記看板の利用料金を課金する課金手段を有する請求項１ないし１１のいずれか１項に記載の空き広告看板情報提供システム。
【手続補正２】
【補正対象書類名】明細書
【補正対象項目名】０００７
【補正方法】変更
【補正の内容】
【０００７】
上記課題を解決するための本発明は、
空き広告看板への広告掲載者を求める広告看板供給者側の端末と、空き広告看板への広告の掲載を希望する広告看板需要者側の端末と、インターネット等の通信ネットワークとを利用する空き広告看板情報提供システムであって、
通信ネットワークに接続され、広告看板供給者側の端末から送信される、空き広告看板の空き広告看板供給情報を蓄積し格納する空き広告看板供給情報記憶手段と、
広告看板供給者側の端末からアクセスする看板供給者各々を認証するための認証手段と、
広告看板供給者が広告看板供給者側の端末からアクセスして認証手段によって認証されると、広告看板供給者が、登録した空き広告看板供給情報を閲覧し、更新することが可能な広告看板供給者用データ管理手段と、
広告看板需要者側の端末から通信ネットワークを介して空き広告看板供給情報記憶手段にアクセスされることにより、空き広告看板供給情報を閲覧させる空き広告看板供給情報閲覧手段と、
広告看板需要者側の端末から通信ネットワークを介して送信される、希望する空き広告看板の空き広告看板需要情報に対応する空き広告看板供給情報が空き広告看板供給情報記憶手段に存在するかどうかを検索する検索手段と、
その検索結果を広告看板需要者側の端末で閲覧可能なように出力させる検索出力手段と、を含む。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
さらに上記構成によれば、広告看板供給者には、識別番号（ユーザＩＤ）とパスワードが認証手段により交付される。広告看板供給者は、インターネット等の通信網を介して、端末からサーバの所定のサイトにアクセスして、認証を受けることにより、広告看板供給者用データ管理手段により管理されるデータを閲覧して、空き広告看板供給情報を更新することが可能となる。
【手続補正５】
【補正対象書類名】明細書
【補正対象項目名】００１５
【補正方法】変更
【補正の内容】
【００１５】
また本発明の空き広告看板情報提供システムは、空き広告看板への広告掲載者を求める広告看板供給者側の端末と、空き広告看板への広告の掲載を希望する広告看板需要者側の端末と、インターネット等の通信ネットワークとを利用する空き広告看板情報提供システムであって、
通信ネットワークに接続され、広告看板供給者側の端末から送信される、空き広告看板の空き広告看板供給情報を蓄積し格納する空き広告看板供給情報記憶手段と、
広告看板需要者側の端末から通信ネットワークを介して空き広告看板供給情報記憶手段にアクセスされることにより、空き広告看板供給情報を閲覧させる空き広告看板供給情報閲覧手段と、
広告看板需要者側の端末から通信ネットワークを介して送信される、希望する空き広告看板の空き広告看板需要情報に対応する空き広告看板供給情報が空き広告看板供給情報記憶手段に存在するかどうかを検索する検索手段と、
その検索結果を広告看板需要者側の端末で閲覧可能なように出力させる検索出力手段とを備え、
空き広告看板供給情報記憶手段には、広告看板供給者によって賃貸が予定される看板を含む画像または映像が通信ネットワークを介して登録され、
さらに広告看板需要者の端末上で、広告看板需要者が通信ネットワークを介して所定の条件で検索した看板の画像または映像に、広告看板需要者が作成することを予定する広告内容を重ね合わせて表示する仮想イメージを作成する仮想イメージ作成手段を有する。
【手続補正６】
【補正対象書類名】明細書
【補正対象項目名】００１７
【補正方法】変更
【補正の内容】
【００１７】
さらに本発明の空き広告看板情報提供システムは、空き広告看板への広告掲載者を求める広告看板供給者側の端末と、空き広告看板への広告の掲載を希望する広告看板需要者側の端末と、インターネット等の通信ネットワークとを利用する空き広告看板情報提供システムであって、
通信ネットワークに接続され、広告看板供給者側の端末から送信される、空き広告看板の空き広告看板供給情報を蓄積し格納する空き広告看板供給情報記憶手段と、
広告看板需要者側の端末から通信ネットワークを介して空き広告看板供給情報記憶手段にアクセスされることにより、空き広告看板供給情報を閲覧させる空き広告看板供給情報閲覧手段と、
広告看板需要者側の端末から通信ネットワークを介して送信される、希望する空き広告看板の空き広告看板需要情報に対応する空き広告看板供給情報が空き広告看板供給情報記憶手段に存在するかどうかを検索する検索手段と、
その検索結果を広告看板需要者側の端末で閲覧可能なように出力させる検索出力手段と、
通信ネットワークに接続され、広告看板需要者側の端末から通信ネットワークを介して送信される、希望する空き広告看板の空き広告看板需要情報を蓄積し格納する空き広告看板需要情報記憶手段と、
空き広告看板供給情報と空き広告看板需要情報との各情報において一致するものがあるかどうかを検索する対応状況検索手段と、
その検索結果を、少なくとも広告看板需要者側の端末に出力する対応状況出力手段と、を含む。